(57)【特許請求の範囲】
【請求項１】
用紙の幅方向に設けた固定刃と、この固定刃に沿って移動することにより前記用紙を切断する回転移動刃と、この回転移動刃の位置を検出するセンサーと、を有するカッター装置であって、前記回転移動刃の移動キャリッジに取り付けるとともに前記センサーにより検出される被検出プレートと、この被検出プレートに対して前記用紙の幅方向にその突出長さを調節可能な長さ調節プレートと、を有することを特徴とするカッター装置。
【請求項２】
前記センサーは、前記用紙の最大幅より外側に配置した第１のセンサーおよび第２のセンサーであることを特徴とする請求項１記載のカッター装置。
【請求項３】
前記長さ調節プレートは、前記移動キャリッジの移動方向の片側にのみこれを設けたことを特徴とする請求項１記載のカッター装置。
【請求項４】
前記長さ調節プレートは、前記移動キャリッジの移動方向に沿ってその一対を設けたことを特徴とする請求項１記載のカッター装置。
【請求項５】
前記長さ調節プレートには、前記用紙の幅に応じた調節マークを設けてあることを特徴とする請求項１記載のカッター装置。
【請求項６】
用紙の幅方向に設けた固定刃と、
この固定刃に沿って移動することにより前記用紙を切断する回転移動刃と、
この回転移動刃の位置を検出する第１のセンサーおよび第２のセンサーと、を有するカッター装置であって、
前記回転移動刃の移動キャリッジに取り付けるとともに前記第１のセンサーおよび前記第２のセンサーにより検出される被検出プレートと、
該被検出プレートに取り付けるとともに回転移動刃の移動方向に対して直角方向に延びる補助プレートと、
前記第１のセンサーおよび前記第２のセンサーの間に位置して前記補助プレートを検出可能な第３のセンサーと、
を設けたことを特徴とするカッター装置。
【請求項７】
前記用紙の幅に対応して、前記第１のセンサーおよび前記第２のセンサーの組み合わせと、前記第１のセンサーおよび前記第３のセンサーの組み合わせと、を切り替えて用いることを特徴とする請求項６記載のカッター装置。
【発明の詳細な説明】
【０００１】
【発明の属する技術分野】
本発明はカッター装置にかかるもので、とくに各種プリンターに装填されて印刷を施される帯状のラベルやタグなどの用紙を所定の長さに切断するためのカッター装置に関するものである。
【０００２】
【従来の技術】
従来のカッター装置について図５および図６にもとづき概説する。
図５は、カッター装置１の概略正面図であって、カッター装置１は、固定刃２と、回転移動刃３と、第１のセンサー４および第２のセンサー５と、を有する。カッター装置１は、たとえば、各種プリンター（図示せず）に装填されて印刷を施される帯状のラベルやタグなどの用紙Ｐを所定の長さに切断するためのものである。用紙Ｐは、その用途に応じて各種の幅を有する。
【０００３】
固定刃２は、用紙Ｐの幅方向にこれを設けてあり、用紙Ｐの最大幅を切断することができるだけの横方向長さを有している。
回転移動刃３は、用紙Ｐの幅方向すなわち、この固定刃２に沿って移動することにより、固定刃２との間に移送されてくる用紙Ｐを切断するもので、移動キャリッジ６に回転可能にこれを取り付けてある。
移動キャリッジ６には、回転移動は３の左右移動方向に均等に突出するように被検出プレート７を取り付けてある。
なお、たとえば、図５中左側の第１のセンサー４側を回転移動刃３の停止位置としてあり、用紙Ｐの幅が異なる場合には、この停止位置側を基準として、より幅の小さい用紙Ｐを図中左側に寄せて案内するようになっている。
【０００４】
第１のセンサー４および第２のセンサー５は、用紙Ｐの最大幅より外側にこれらを配置し、回転移動刃３の往復動にともなって移動する被検出プレート７を検出可能としてある。
【０００５】
図６は、カッター装置１を装備したプリンターのプリンター制御回路８の概略ブロック図であって、プリンター制御回路８は、ＣＰＵ９と、ＲＯＭ１０と、ＲＡＭ１１と、Ｉ／Ｏポート１２と、バス１３と、を有する。ただし、プリンターの印刷機能自体に必要な部品ブロックについては図示を省略してある。
Ｉ／Ｏポート１２に、カッター制御回路１４およびセンサー制御回路１５を接続してある。
【０００６】
こうした構成のカッター装置１およびプリンター制御回路８において、回転移動刃３が移動キャリッジ６および被検出プレート７とともに図５中左から右方向に移動（往動）して用紙Ｐを切断し、第２のセンサー５が被検出プレート７を検出して停止する。
用紙Ｐのつぎの先端部が固定刃２の下方部を所定ピッチだけ移送されたのち、回転移動刃３が移動キャリッジ６および被検出プレート７とともに右から左方向に復動し、用紙Ｐにおけるつぎの切断位置を切断し、第１のセンサー４が被検出プレート７を検出して停止する。この往復切断動作を繰り返す。
【０００７】
しかしながら、各種の幅の用紙Ｐに対して、回転移動刃３が常に最大幅の長さを往復動するので、より幅の小さな用紙Ｐに対しては、回転移動刃３の移動距離のうち切断動作をともなわない無駄な動きの部分があることになり、高速切断を行うことができないという問題がある。
とくに、カッター装置１を装備したプリンターなどにおいては、時間あたりの用紙Ｐの印刷、移送および切断までの処理枚数のうち、カッター装置１における切断処理のための動作時間が大きな割合を占めている。かくして、カッター装置１の高速化が作業時間の短縮につながるため、当該高速化のための簡単な構成が要請されていた。
【０００８】
なお、この種のカッター装置としては、特開平６−２３８５９６号、特開平１０−２９１９３号、および特開２０００−３１７８８４号などがある。
【０００９】
【発明が解決しようとする課題】
本発明は以上のような諸問題にかんがみなされたもので、用紙の幅に応じて回転移動刃を所定距離だけ駆動し、高速切断を可能としたカッター装置を提供することを課題とする。
【００１０】
また本発明は、切断される用紙のサイズに応じて回転移動刃の往復動位置を調節可能としたカッター装置を提供することを課題とする。
【００１１】
また本発明は、回転移動刃による用紙の実質的な切断処理時間を短縮可能としたカッター装置を提供することを課題とする。
【００１２】
また本発明は、回転移動刃の移動距離のうち切断動作をともなわない無駄な動きの部分を極力少なくしたカッター装置を提供することを課題とする。
【００１３】
【課題を解決するための手段】
すなわち本発明は、各種プリンターに装填するラベルやタグなど用紙の幅に応じて回転移動刃による切断が完了する位置（その停止位置）を決めること、およびセンサーに対する回転移動刃（被検出プレート）の位置を用紙の幅に合わせることができるようにすることに着目したもので、第一の発明は、用紙の幅方向に設けた固定刃と、この固定刃に沿って移動することにより上記用紙を切断する回転移動刃と、この回転移動刃の位置を検出するセンサーと、を有するカッター装置であって、上記回転移動刃の移動キャリッジに取り付けるとともに上記センサーにより検出される被検出プレートと、この被検出プレートに対して上記用紙の幅方向にその突出長さを調節可能な長さ調節プレートと、を有することを特徴とするカッター装置である。
【００１４】
上記センサーは、上記用紙の最大幅より外側に配置した第１のセンサーおよび第２のセンサーであることができる。
【００１５】
上記長さ調節プレートは、上記移動キャリッジの移動方向の片側にのみこれを設けることができる。
【００１６】
上記長さ調節プレートは、上記移動キャリッジの移動方向に沿ってその一対を設けることができる。
【００１７】
上記長さ調節プレートには、上記用紙の幅に応じた調節マークを設けてあることができる。
【００１８】
第二の発明は、用紙の幅方向に設けた固定刃と、この固定刃に沿って移動することにより上記用紙を切断する回転移動刃と、この回転移動刃の位置を検出する第１のセンサーおよび第２のセンサーと、を有するカッター装置であって、上記回転移動刃の移動キャリッジに取り付けるとともに上記第１のセンサーおよび上記第２のセンサーにより検出される被検出プレートと、該被検出プレートに取り付けるとともに回転移動刃の移動方向に対して直角方向に延びる補助プレートと、上記第１のセンサーおよび上記第２のセンサーの間に位置してこの補助プレートを検出可能な第３のセンサーと、を設けたことを特徴とするカッター装置である。
【００１９】
上記用紙の幅に対応して、上記第１のセンサーおよび上記第２のセンサーの組み合わせと、上記第１のセンサーおよび上記第３のセンサーの組み合わせと、を切り替えて用いることができる。
【００２０】
上記第一の発明における長さ調節プレートと第二の発明における第３のセンサーとは、これを適宜組み合わせて用いることもできる。
【００２１】
本発明によるカッター装置においては、各種プリンターに装填するラベルやタグなど用紙の幅に応じて回転移動刃による切断が完了する位置を決めるようにしたので、回転移動刃の移動距離のうち切断動作をともなわない無駄な動きの部分を極力少なくし、切断動作の高速化を可能とした。
【００２２】
とくに第一の発明においては、回転移動刃の被検出プレートに長さ調節プレートを取り付けて、その長さを調節可能としたので、用紙の幅に応じてこの長さ調節プレートを被検出プレートからの突出長さを決めることにより、第１のセンサーおよび第２のセンサーなどのセンサーが検出するタイミングを短縮することができ、高速切断を実現することができる。
【００２３】
とくに第二の発明においては、第１のセンサーおよび第２のセンサーの間に位置して補助プレートを検出可能な第３のセンサーを設けたので、幅の短い用紙の場合には、この第３のセンサーが補助プレートを検出し、回転移動刃の移動距離のうち切断動作をともなわない無駄な動きの部分を極力少なくすることができる。
【００２４】
【発明の実施の形態】
つぎに本発明の第１の実施の形態（第一の発明）によるカッター装置２０を図１および図２にもとづき説明する。ただし、図５および図６と同様の部分には同一符号を付し、その詳述はこれを省略する。
図１は、カッター装置２０の概略正面図であって、カッター装置２０は、既述の固定刃２、回転移動刃３、第１のセンサー４、第２のセンサー５、移動キャリッジ６および被検出プレート７を有するとともに、被検出プレート７に取り付けた長さ調節プレート２１を有する。
【００２５】
図２は、長さ調節プレート２１の部分の平面図であって、長さ調節プレート２１は用紙Ｐの幅方向の長窓２２を有し、被検出プレート７の貫通孔２３を通したボルト２４をナット２５で締めることにより、被検出プレート７に対する長さ調節プレート２１の用紙Ｐの幅方向における突出長さを調節可能としてある。
【００２６】
なお、長窓２２の周縁部に所定間隔で調節マーク２６を設けておくことにより、用紙Ｐの幅に応じて、ボルト２４およびナット２５による長さ調節プレート２１の固定位置の目安とすることができ、長さ調節プレート２１の用紙Ｐの幅方向における突出長さを調節する操作を容易に行うことができる。
【００２７】
こうした構成のカッター装置２０において、用紙Ｐの幅に応じて長さ調節プレート２１の被検出プレート７に対する突出長さを調節することにより、第１のセンサー４および第２のセンサー５の間における回転移動刃３の実質切断動作に対応する往復動距離の無駄を省くことができる。
たとえば、用紙Ｐの幅が狭い場合に、被検出プレート７から長さ調節プレート２１をより長く延ばすことにより、回転移動刃３の図１中右方向への移動時に、第２のセンサー５が従来より早く長さ調節プレート２１を検出することになり、回転移動刃３による用紙Ｐの切断処理時間すなわち移動時間を短縮することができる。
【００２８】
なお、長さ調節プレート２１の突出長さの調節機構は、上述の長窓２２など以外にも任意の構成を採用することができる。
【００２９】
また、上述した実施の形態において、長さ調節プレート２１は、移動キャリッジ６の移動方向の片側にのみこれを設けた場合を説明したが、用紙Ｐの基準位置を第１のセンサー４および第２のセンサー５の中心に設定するような構成の場合には、一対の長さ調節プレート２１を移動キャリッジ６の移動方向に沿って被検出プレート７の両側（第１のセンサー４側および第２のセンサー５側）に設けることができる。この場合には、第１のセンサー４側および第２のセンサー５側においてともに、回転移動刃３の無駄な移動距離を短縮して高速切断を可能とする。
【００３０】
図３は、本発明の第２の実施の形態（第二の発明）によるカッター装置３０の概略正面図であって、カッター装置３０においては、第１のセンサー４と第２のセンサー５との間の任意の位置に第３のセンサー３１を設けている。
この第３のセンサーの設定位置は、装填される用紙Ｐの幅の種類に応じて実質切断時間を最小にするようにこれを決定する。
【００３１】
被検出プレート７には、回転移動刃３の移動方向に対して直角方向に延びる補助プレート３２を取り付けてある。
【００３２】
図４は、第１のセンサー４、第２のセンサー５および第３のセンサー３１の平面位置関係を示す概略平面図であって、第３のセンサー３１は、回転移動刃３の第２のセンサー５方向への移動には障害にならない位置であって補助プレート３２を検出可能な位置にこれを配置してある。
【００３３】
こうした構成のカッター装置３０において、用紙Ｐの幅が第１のセンサー４と第３のセンサー３１との間より長い場合には、第１のセンサー４および第２のセンサー５の組を検出センサーとして利用する。
用紙Ｐの幅がより小さい場合には、第１のセンサー４と第３のセンサー３１との対をセンサーとして用いれば、用紙Ｐの幅に応じて回転移動刃３がその間を往復動し、幅に応じた最適速度で切断処理を行うことができる。
【００３４】
なお、第１の実施の形態によるカッター装置２０における長さ調節プレート２１、および第２の実施の形態によるカッター装置３０における第３のセンサー３１を組み合わせることにより、さらに調節段階を増やして、よりきめ細かな回転移動刃３の移動距離の調節を可能とすることができる。
【００３５】
【発明の効果】
以上のように本発明によれば、被検出プレートに長さ調節プレートを設けること、あるいは第３のセンサーを設けることなどにより、用紙の幅に応じて回転移動刃の無駄な移動時間を省略し、高速切断処理を実現することができる。
【図面の簡単な説明】
【図１】本発明の第１の実施の形態（第一の発明）によるカッター装置２０の概略正面図である。
【図２】同、長さ調節プレート２１の部分の平面図である。
【図３】本発明の第２の実施の形態（第二の発明）によるカッター装置３０の概略正面図である。
【図４】同、第１のセンサー４、第２のセンサー５および第３のセンサー３１の平面位置関係を示す概略平面図である。
【図５】従来のカッター装置１の概略正面図である。
【図６】同、カッター装置１を装備したプリンターのプリンター制御回路８の概略ブロック図である。
【符号の説明】
１  カッター装置（図５）
２  固定刃
３  回転移動刃
４  第１のセンサー
５  第２のセンサー
６  移動キャリッジ
７  被検出プレート
８  プリンター制御回路（図６）
９  ＣＰＵ
１０  ＲＯＭ
１１  ＲＡＭ
１２  Ｉ／Ｏポート
１３  バス
１４  カッター制御回路
１５  センサー制御回路
２０  カッター装置（第１の実施の形態、図１）
２１  長さ調節プレート
２２  長さ調節プレート２１に形成した長窓（図２）
２３  被検出プレート７に形成した貫通孔
２４  ボルト
２５  ナット
２６  調節マーク
３０  カッター装置（第２の実施の形態、図３）
３１  第３のセンサー
３２  補助プレート
Ｐ  用紙（ラベル、タグなど）
【図１】
0003962251.tif 000002
【図２】
0003962251.tif 000003
【図３】
0003962251.tif 000004
【図４】
0003962251.tif 000005
【図５】
0003962251.tif 000006
【図６】
0003962251.tif 000007